(57)【特許請求の範囲】
【請求項１】
医療機器を保持する保持面と、
前記保持面に設けられた複数のタブと、を備え、
前記複数のタブの少なくとも一つは、前記保持面から離間した位置に前記医療機器の長手方向に沿う二つの面で形成された谷部を有する特定のタブであり、
前記特定タブは、前記保持面から離間した位置において、前記谷部で前記医療機器の長手方向に沿って前記医療機器を保持する、保持台紙。
【請求項２】
請求項１に記載の保持台紙において、
前記特定タブは、前記医療機器の最先端側及び最基端側の少なくとも一方に配置されている、保持台紙。
【請求項３】
請求項１又は請求項２に記載の保持台紙において、
前記特定タブは、補助タブを備え、
前記特定タブ及び前記補助タブで、前記谷部を形成することを特徴とする、保持台紙。
【請求項４】
請求項１〜請求項３の何れか一つに記載の保持台紙において、
前記特定タブの端部には、前記医療機器の長手方向に沿う面が前記医療機器側に折り込まれた、折り返し部が設けられている、保持台紙。
【請求項５】
請求項１又は請求項２に記載の保持台紙において、
前記特定タブは、前記特定タブの端部を複数回折り返して形成された谷部を備え、
前記谷部で前記医療機器を挟持することを特徴とする、保持台紙。
【請求項６】
請求項１〜請求項５の何れか一つに記載の保持台紙と、
前記保持台紙の外周を覆う保持袋と、を備えた保持台紙組立体において、
前記特定タブは、前記保持台紙を前記保持袋内に挿入している時には、前記保持袋によって前記保持面側に押し付けられ、前記保持台紙を前記保持袋から取り出した時には、前記医療機器を前記保持面から離間するように持ち上げる、保持台紙組立体。
【発明の詳細な説明】
【技術分野】
【０００１】
本発明は、医療機器を保持する為の保持台紙に関する。
【背景技術】
【０００２】
従来、搬送時や保管時には医療器具等を安定的に保持し、且つ、医療機器を保持台紙から取り出す場合には保持台紙から医療機器を取り出し易くしたり、また、取り出し時における医療機器への損傷を防いだり、と種々の工夫を施した保持台紙が開発されてきた。
【０００３】
例えば、特許文献１には、カテーテル保持部材に、カテーテルを固定し、所定の可撓性を有する舌状片を構成する翼状の固定帯１１と、固定帯１１の先端部を遊嵌する切り込み１２と、が設けられており、固定帯１１がカテーテルを覆うように折り曲げられて切り込み１２に遊嵌され、カテーテルを固定している保持部材が開示されており、搬送中・保管時においてはチューブ（カテーテル）の折れ曲がりや脱落を防止すると共に、使用時には容易にカテーテルを傷つけることなく取り出すことができる点が記載されている。
【０００４】
また、特許文献２には、カード２（保持台紙）の一部を切り取って複数の保持用素子部４を形成し、各保持用素子部４は押し下げ唇片１０と囲い用唇片１１とから成り、押し下げ唇片１０は右手方向からカテーテル５を保持し、囲い用唇片１１は押し下げ唇片１０の下でカテーテル５の左側に位置してカテーテルを左に動くことだけを防止するパッケージカテーテルが開示されており、カテーテルを外被３から引き出すときに、カード２を切り取って形成した保持用素子部４の唇片に縁部によるカテーテル５の損傷を防止する点が記載されている。
【先行技術文献】
【特許文献】
【０００５】
【特許文献１】特開２０００−２５５６２７
【特許文献２】特開平８−３３７１７
【発明の概要】
【発明が解決しようとする課題】
【０００６】
しかしながら、引用文献１に記載されている保持部材は、カテーテルが保持部材の保持面に接触して保持されている為、保持部材からカテーテルを取り出すことが容易ではない。この為、術者は、保持部材の保持面を湾曲させる等して、カテーテルと保持部材の保持面との間に隙間を設けて、この保持面から離れたカテーテルの一部を把持して、カテーテルを保持面から引抜くように取り出す為、カテーテルを保持部材から取り出す際に時間を要していた。
【０００７】
また、引用文献２に記載されているカード（台紙）についても、引用文献１の保持部材と同様に、カテーテルがカードの保持面に接触して保持されている為、カテーテルを保持部材から取り出す際に時間を要していた。
【０００８】
また、カテーテルに限らず、ガイドワイヤ等のその他の医療機器においても、保持台紙の保持面に接触するように医療機器が配置されている場合には、医療機器を保持部材から取り出す際に時間を要していた。
【０００９】
本発明は、かかる問題点に鑑みてなされたものであり、保持部材の保持面に保持されている医療機器を取出し易くした保持台紙を提供することを目的とする。
【課題を解決するための手段】
【００１０】
＜１＞本願請求項１に係る発明は、医療機器を保持する保持面と、前記保持面に設けられた複数のタブと、を備え、前記複数のタブの少なくとも一つは、前記医療機器の長手方向に沿う面を有する特定のタブであり、前記特定タブは、前記保持面から離間した位置において、前記医療機器の長手方向に沿う面で前記医療機器を保持している、保持台紙を特徴とする。
【００１１】
＜２＞請求項２に係る発明は、請求項１に記載の保持台紙において、前記特定タブは、前記医療機器を保持している前記複数のタブの内、前記医療機器の最基端側及び最先端側の少なくとも一方に配置されている、保持台紙を特徴とする。
【００１２】
＜３＞請求項３に係る発明は、請求項１又は請求項２に記載の保持台紙において、前記特定タブは、補助タブを備え、前記特定タブと、前記補助タブで、前記医療機器を挟持することを特徴とする、保持台紙を特徴とする。
【００１３】
＜４＞請求項４に係る発明は、請求項１〜請求項３の何れか一つに記載の保持台紙において、前記特定タブの端部には、前記医療機器の長手方向に沿う面が前記医療機器側に折り込まれた、折り返し部が設けられている、保持台紙を特徴とする。
【００１４】
＜５＞請求項５に係る発明は、請求項１又は請求項２に記載の保持台紙において、前記特定タブは、前記特定タブの端部を複数回折り返して形成された谷部を備え、前記谷部で前記医療機器を挟持することを特徴とする、保持台紙を特徴とする。
【００１５】
＜６＞請求項６に係る発明は、請求項１〜請求項５の何れか一つに記載の保持台紙と、前記保持台紙の外周を覆う保持袋と、を備えた保持台紙組立体において、前記特定タブは、前記保持台紙を前記保持袋内に挿入している時には、前記保持袋によって前記保持面側に押し付けられ、前記保持台紙を前記保持袋から取り出した時には、前記医療機器を前記保持面から離間するように持ち上げる、保持台紙組立体を特徴とする。
【発明の効果】
【００１６】
＜１＞請求項１に記載の保持台紙は、医療機器を保持する保持面と、前記保持面に設けられた複数のタブと、を備え、前記複数のタブの少なくとも一つは、前記医療機器の長手方向に沿う面を有する特定のタブであり、前記特定タブは、前記保持面から離間した位置において、前記医療機器の長手方向に沿う面で前記医療機器を保持していることによって、保持台紙から医療機器を容易に取り出すことができる、効果を奏する。
【００１７】
＜２＞請求項２に記載の保持台紙は、前記特定タブが、前記医療機器を保持している前記複数のタブの内、前記医療機器の最基端側及び最先端側の少なくとも一方に配置されていることから、術者が保持面から離間している医療機器の端部を把持し易くなるので、保持台紙から医療機器をさらに容易に取り出すことができる、効果を奏する。
【００１８】
＜３＞請求項３に記載の保持台紙は、前記特定タブは、補助タブを備え、前記特定タブと、前記補助タブで、前記医療機器を挟持することによって、医療機器を確実に保持できる、効果を奏する。
【００１９】
＜４＞請求項４に記載の保持台紙は、前記特定タブの端部には、前記医療機器の長手方向に沿う面が前記医療機器側に折り込まれた、折り返し部が設けられていることから、医療機器が保持台紙の保持面へ落下することを防止して、延いては、医療機器を確実に保持台紙の保持面から離間させて、術者が医療機器をさらに取出し易くなる、効果を奏する。
【００２０】
＜６＞請求項６に記載の保持台紙は、請求項１〜請求項５のいずれか１つに記載の保持台紙と、前記保持台紙の外周を覆う保持袋と、を備えた保持台紙組立体において、前記特定タブは、前記保持台紙を前記保持袋内に挿入している時には、前記保持袋によって前記保持面側に押し付けられ、前記保持台紙を前記保持袋から取り出した時には、前記医療機器を前記保持面から離間するように持ち上げることから、保持台紙が保持袋に挿入されている時には特定タブによる嵩高さが減少するので、保管時や輸送時におけるスペースを低減させることができ、保持台紙が保持袋から取り出された時には医療機器が特定タブによって保持台紙の保持面から離間して持ち上がるので、術者が保持台紙から医療機器を容易に取り出すことができる、効果を奏する。
【図面の簡単な説明】
【００２１】
【図１】本発明の第１実施形態を示す保持台紙の説明図であり、（ａ）は第１実施形態の保持台紙の全体図であり、（ｂ）は（ａ）の特定タブのＡ−Ａ断面における断面拡大図であり、（ｃ）〜（ｅ）は第１実施形態の特定タブの変形例を示した図である。
【図２】本発明の第２実施形態を示す保持台紙の説明図であり、（ａ）は第１実施形態の保持台紙の全体図であり、（ｂ）は（ａ）の特定タブのＢ−Ｂ断面における断面拡大図である。
【図３】本発明の第３実施形態を示す保持台紙の特定タブの側面図である。
【図４】本発明の第４実施形態を示す保持台紙の説明図であり、（ａ）は医療機器を保持した保持台紙が保持袋に挿入されている状態を示す保持台紙組立体の全体図であり、（ｂ）は（ａ）のＣ−Ｃ断面における保持台紙の特定タブの断面拡大図であり、（ｃ）は医療機器を保持した保持台紙が保持袋から取り出された状態を示す全体図であり、（ｄ）は（ｃ）のＤ−Ｄ断面における保持台紙の特定タブにおける断面拡大図である。
【図５】本発明の第５施形態を示す保持台紙の説明図であり、（ａ）は第５実施形態を示す保持台紙の全体図であり、（ｂ）は（ａ）の特定タブ近傍を保持台紙に対して側面から見た図である。
【００２２】
以下、本発明の保持台紙を図面に示す好適実施形態に基づいて説明する。
【００２３】
＜第１実施形態＞
図１は、本発明の第１実施形態を示す保持台紙の説明図であり、（ａ）は第１実施形態の保持台紙の全体図であり、（ｂ）は（ａ）の特定タブのＡ−Ａ断面における断面拡大図であり、（ｃ）〜（ｅ）は第１実施形態の特定タブの変形例を示した図である。尚、図１では、保持台紙を模式的に図示している為、寸法比は実際とは異なる。
【００２４】
図１（ａ）において、保持台紙１の保持面１０には複数のタブが設けられており、医療機器２（図１（ａ）では医療機器の例として、先端部２２に湾曲形状を有したガイドワイヤ２を記載した）が保持台紙１の複数のタブによって保持されている。複数の保持タブは、ガイドワイヤ２の先端部２２側を保持するタブ９と、先端側２２からガイドワイヤ２の基端部２４に向かって（ガイドワイヤの先端部２２から反時計方向に向かって）、ガイドワイヤ２の中間部２３を保持するタブ３２、３３、３４、３５と、から構成されている。尚、ガイドワイヤ２の基端部２４は、本実施形態においては、ガイドワイヤ２の中間部２３を保持しているタブ３３によって保持されている。長軸方向の長さが長いガイドワイヤ２を保持する場合には、タブ３２のように、ガイドワイヤ２の中間部２３の１周目部分と２週目部分とを一つのタブによって保持するタブを複数個設けることで保持台紙１に保持することができる。
【００２５】
複数のタブの内、タブ９はこの他のタブ３２、３３、３４、３５とは、性質が異なるタブである。以下にその詳細を記載する。タブ３２、３３、３４、３５は、ガイドワイヤ２を保持台紙１の保持面１０に保持するように機能しているタブである。
【００２６】
一方、タブ９は、図１（ｂ）に示している通り、補助タブ６を備え、タブ９と補助タブ６との間でガイドワイヤ２の先端部２２を挟み込むように保持（挟持）している。さらに、タブ９は、この他の複数のタブ３２、３３、３４、３５が、ガイドワイヤ２を保持台紙１の保持面１０に保持しているのに対して、保持面１０から離間した位置において、ガイドワイヤ２を挟持している（以下、保持面１０から離間した位置に保持するタブを特定タブと記載する）。
【００２７】
このように、特定タブ９が、ガイドワイヤ２を保持面１０から離間した位置において、ガイドワイヤ２を挟持していることから、術者がガイドワイヤ２を保持台紙１から取り出す際に、特定タブ９によって保持面１０から離間している（保持面１０から浮いている）ガイドワイヤ２を把持することによって、保持台紙１からガイドワイヤ２を容易に取り出すことができる、効果を奏する。
【００２８】
このような保持台紙１を構成する材料は、特に限定されないが、医療機器を保持する一般的な保持台紙と同じ材質から構成されており、一例としては、上質紙、クラフト紙、片艶クラフト紙、表面コート紙、ポリプロピレン等を用いた合成紙や樹脂シート等が挙げられる。また、特定タブが、保持台紙から切り込みを入れて形成されることを考慮して、特定タブの強度を確保するために、保持台紙１を構成する材料として、繊維性の材質を織り交ぜたポリプロピレンや樹脂シート等を用いることもできる。また、保持台紙１は、これらの材料から成る紙材を１枚又は複数枚積層して形成される。
【００２９】
タブ３２、３３、３４、３５は、上述の紙材をそれぞれタブ状にカットして、保持台紙１の保持面１０に張り付けて設けることも可能であるが、保持台紙１にタブ形状に成るように切り込みを設けて、タブ３２、３３、３４、３５を形成しても良く、この他、公知の形成方法を採用することができる。
【００３０】
特定タブ９は、図１（ｂ）に示している通り、特定タブ９の形状にカットした部材を保持台紙１の保持面１０とは反対側の面に接着して、保持台紙１の縁部２０で折り返して、折り返した部分を保持面１０側に設けることによって作製されている。特定タブ９の材料は、保持台紙１０に適用される材料から形成することができる。また、保持台紙１の保持面１０から離間した位置で医療機器を保持（挟持）する点を考慮して、特定タブ９を構成する材料は、剛性を高める為に複数枚積層した紙材から構成することが好ましい。
【００３１】
また、特定タブ９は、上述した様に、保持台紙１と異なる部材で構成することもできるが、図１（ｃ）に記載した通り、タブ３２、３３、３４、３５と同様に、保持台紙１に切り込み１００を設けて、これを切り込み１００を設けていない側（図１（ｃ）の左側）に折り曲げて、特定タブ１９を形成することもできる。縁部２０に限りなく接近した状態で特定タブ１９を設けると、切り込み１００が縁部２０に到達してしまい、特定タブ１９が破損する場合がある為、特定タブ１９は医療機器を保持面１０から離間させる機能を持っている都合状、保持台紙１の縁部２０からある程度離れた場所に設けることが好ましい。
【００３２】
このように、特定タブ１９が、保持台紙１に切り込み１００を入れて形成されていることから、ガイドワイヤ２を保持台紙から離間させる為の特定タブ１９を簡便に作製することができる、効果を奏する。
【００３３】
特定タブ９の補助タブ６は、図１（ｂ）に示している通り、特定タブ９とは異なる部材を特定タブ９に張り付けて形成しても良く、また、図１（ｄ）に示している通り、特定タブ２９に切り込み１０１を設けて、それを折り返すことによって、補助タブ２６を形成しても良い。尚、図１（ｃ）に記載している補助タブ１６は、特定タブ１９に切り込みを入れて形成した補助タブである。
【００３４】
また、図１（ｅ）に示している通り、特定タブ３９の一方の端部を複数回折り返して、谷部３００を形成し、この谷部３００によってガイドワイヤ２が保持（挟持）されている形態とすることもできる。また、谷部３００は、この形態に限定されることなく、ガイドワイヤ２を保持（挟持）する形態であれば、その他の形態であっても良い。
【００３５】
また、本実施例では、特定タブ９が、ガイドワイヤ２の先端部２２を保持面１０から離間した位置において、ガイドワイヤ２を挟持しているが、ガイドワイヤ２の基端部２４側に特定タブ９を設けて、ガイドワイヤ２の基端部２４を保持面１０から離間させた構成としても良い。
【００３６】
また、ガイドワイヤ２の先端部２２やガイドワイヤの基端部２４ではなく、ガイドワイヤの中間部２３の１か所を特定タブ９によって、ガイドワイヤ２の先端部２２を保持面１０から離間した位置において、ガイドワイヤ２を挟持させることもできるが、ガイドワイヤ２を保持台紙１から取り出す際の取り出し易さを考慮すれば、ガイドワイヤ２の先端部２２又はガイドワイヤ２の基端部２４の位置に特定タブ９を設けることが好ましい。
【００３７】
＜第２実施形態＞
次に、第２実施形態の保持台紙１１について、図２を用いて、第１実施形態とは異なる点を中心に説明する。第１実施形態と共通する部分については、図中では同じ符号を付すこととする。
尚、図２は、保持台紙１１を模式的に図示しているため、全体の寸法は実際とは異なる。
【００３８】
図２（ａ）において、保持台紙１１は、ガイドワイヤ２の基端部２４を保持（挟持）する特定タブ４９を備えている点で第１実施形態とは異なる。
【００３９】
図２（ａ）及び（ｂ）に示している通り、特定タブ４９は、保持台紙１に切り込み１０２を入れた後に、切り込み１０２を入れた部分を切り込み１０２を入れていない側（図２（ａ）に対して左側）へ折り曲げて形成されており、また、特定タブ４９の補助タブ３６は、特定タブ４９に切り込み１０３を入れた後に、切り込みを入れた部分を折り曲げて形成されている。ガイドワイヤ２の基端部２４は、特定タブ４９と補助タブ３６とによって挟まれて、保持台紙１１の保持面から離間した位置でガイドワイヤ２を保持（挟持）している。
【００４０】
このように、特定タブ９が、ガイドワイヤ２の先端部２２を保持面１０から離間した位置において、ガイドワイヤ２を挟持し、さらに、特定タブ４９が、ガイドワイヤ２の基端部２４を保持面１０から離間した位置において、ガイドワイヤ２を挟持していることから、術者は、ガイドワイヤ２を保持台紙１から取り出す際に、特定タブ９によって保持面１０から離間している（保持面１０から浮いている）ガイドワイヤ２の先端部２２、又は、特定タブ４９によって保持面１０から離間している（保持面１０から浮いている）ガイドワイヤ２の基端部２４を把持することができ、ガイドワイヤ２を把持するポイントが増加する為、保持台紙１１からガイドワイヤ２をさらに容易に取り出すことができる、効果を奏する。
【００４１】
＜第３実施形態＞
次に、第３実施形態の保持台紙２１について、図３を用いて、第１実施形態とは異なる点を中心に説明する。第１実施形態及び第２実施形態と共通する部分については、図中では同じ符号を付すこととする。
なお、図３は、保持台紙２１を模式的に図示しているため、全体の寸法は実際とは異なる。
【００４２】
図３において、保持台紙２１の特定タブ５９は、その上端部に第１の折り返し部５を有している点、及び特定タブ５９の補助タブ４６が、その上端部に第２の折り返し部１５を有している点で第１実施形態とは異なる。
【００４３】
特定タブ５９は、保持台紙２１に切り込み１０４を入れた後に、切り込み１０４を入れた部分を折り返して形成されており、また、補助タブ４６も、特定タブ５９に切り込み（図示せず）を入れた後に、切り込みを入れた部分を折り返して形成されている。
【００４４】
特定タブ５９の第１の折り返し部５は、特定タブ５９とは異なる部材を特定タブ５９に張り付けて形成しても良く、特定タブ５９の上端部の一部を挟持しているガイドワイヤ２側に折り曲げて形成しても良い。補助タブ４６の第２の折り返し部１５も同様の方法で形成することができる。
【００４５】
このように本実施形態の保持台紙２１は、特定タブ５９の上端部にはガイドワイヤ２側に折り込まれた第１の折り返し部５と、特定タブ５９の補助タブ４６の上端部にはガイドワイヤ２側に折り込まれた第２の折り返し部１５と、が設けられていることから、ガイドワイヤ２が保持台紙２１の保持面１０へ落下することを防止して、延いては、ガイドワイヤ２を確実に保持台紙２１の保持面１０から離間させて、術者がガイドワイヤ２をさらに取出し易くなる、効果を奏する。
【００４６】
尚、折り返し部は、特定タブ５９及び補助タブ４６のそれぞれの上端部に設けることが最も好ましいが、どちらか一方の上端部に折り返し部を設けても良い。
【００４７】
＜第４実施形態＞
次に、第４実施形態の保持台紙３１について、図４を用いて、第１実施形態とは異なる点を中心に説明する。第１実施形態及びその他の実施形態と共通する部分については、図中では同じ符号を付すこととする。
【００４８】
図４（ａ）は医療機器（ガイドワイヤ）を保持した保持台紙が保持袋に挿入されている状態を示す保持台紙組立体の全体図であり、（ｂ）は（ａ）のＣ−Ｃ断面における保持台紙の特定タブの断面拡大図であり、（ｃ）は医療機器を保持した保持台紙が保持袋から取り出された状態を示す全体図であり、（ｄ）は（ｃ）のＤ−Ｄ断面における保持台紙の特定タブにおける断面拡大図である。なお、図４（ａ）〜（ｄ）は、保持台紙組立体８及び保持台紙３１を模式的に図示しているため、全体の寸法は実際とは異なる。
【００４９】
図４（ａ）及び（ｂ）において、保持台紙３１は保持袋７によって覆われており、全体として保持台紙組立体８を構成している点で第１実施形態とは異なる。
【００５０】
本実施形態の保持台紙３１の特定タブ６９は、第１実施形態の特定タブ９と同様に、保持台紙３１とは異なる部材から形成されている。特定タブ６９の上端部には、第１の折り返し部２５が形成されている。
【００５１】
特定タブ６９の補助タブ５６は、特定タブ６９に補助タブ５６用の別部材を張り付けて形成されており、補助タブ５６の上端部には、第２の折り返し部４５が形成されている。特定タブ６９と補助タブ５６との間には、ガイドワイヤ２の先端部２２が保持（挟持）されている。
【００５２】
図４（ｂ）に示している通り、この時の保持台紙３１の特定タブ６９は、保持台紙３１が保持袋７内に挿入されている為、保持台紙３１を覆っている保持袋７によって保持面１０側に押し付けられている。また、図４（ｃ）及び（ｄ）に示している通り、ガイドワイヤ２を保持している保持台紙３１が、保持袋７から取り出された時には、保持台紙３１の特定タブ６９は、ガイドワイヤ２の先端部２２を保持面１０から離間するように持ち上げている。
【００５３】
このように、特定タブ６９は、保持台紙３１を保持袋７内に挿入されている時には、保持袋７によって保持面１０側に押し付けられ、保持台紙３１を保持袋７から取り出した時には、ガイドワイヤ２を保持面１０から離間するように持ち上げることから、保持台紙３１が保持袋７に挿入されている時には特定タブ９による嵩高さが減少するので、保管時や輸送時におけるスペースを低減させることができ、保持台紙３１が保持袋７から取り出された時にはガイドワイヤ２が特定タブ６９によって保持台紙３１の保持面１０から離間して持ち上がるので、術者が保持台紙３１からガイドワイヤ２を容易に取り出すことができる、効果を奏する。
【００５４】
また、特定タブ６９及び特定タブ６９の補助タブ５６の上端部には、それぞれ第１の折り返し部２５と第２の折り返し部４５とが形成されているので、包装袋７によって特定タブ６９が保持面１０側に押し付けられた場合であっても、ガイドワイヤ２の先端部２２が特定タブ６９から離脱することなく、安定的に特定タブ６９と特定タブ６９の補助タブ５６とによって保持（挟持）されている。
【００５５】
尚、保持袋７は、一般的に滅菌袋と呼ばれており、図４（ｂ）に示している通り、紙材１７及び透明の樹脂フィルム２７から成る袋である。紙材１７には、ラテックス含浸紙やポリエチレンから成る樹脂シートが用いられており、透明フィルム２７には、ポリエチレンとポリエチレンテレフタレートとを積層して形成したフィルムが一般的に用いられている。尚、紙材１７や透明フィルム２７は、ここに記載した材料に限らず、他の材料から形成しても良い。
【００５６】
また、本実施形態の保持台紙３１は、特定タブ６９が保持台紙３１とは別部材から形成されているが、第１実施形態の変形例として説明した、特定タブ１９や特定タブ３９を第３の実施形態の特定タブとして用いても良い。また、特定タブ６９の補助タブ５６は、特定タブ６９とは異なる部材から形成しているが、特定タブ６９に切り込みを入れて、切り込みを入れた部分を折り曲げて形成しても良い。
【００５７】
＜第５実施形態＞
次に、第５実施形態の保持台紙４１について、図５（ａ）及び（ｂ）を用いて、第1実施形態とは異なる点を中心に説明する。第１実施形態及びその他の実施形態と共通する部分については、図中では同じ符号を付すこととする。
【００５８】
本発明の第５施形態を示す保持台紙の説明図であり、（ａ）は第５実施形態を示す保持台紙の全体図であり、（ｂ）は（ａ）の特定タブ近傍を保持台紙に対して側面から見た図である。なお、図５（ａ）及び（ｂ）は、保持台紙４１を模式的に図示している為、全体の寸法は実際とは異なる。
【００５９】
図４（ａ）及び（ｂ）において、保持台紙４１は、保持台紙４１に保持されている医療機器がガイディングカテーテル１２となっている点で第１実施形態とは異なる。
【００６０】
図５（ａ）に示している通り、保持台紙４１は、ガイディングカテーテル１２の先端部２１０側からコネクタ４を有する基端部２２０側に向かって、第１のタブ群３０１、第２のタブ群３０２、第３のタブ群３０３、第１の特定タブ７９、第２の特定タブ８９、第３の特定タブ９９及びコネクタ用タブ４０を有している。カテーテル１２の内、先端部２１０側から中間部２３０までの部分は、第１のタブ群３０１、第２のタブ群３０２及び第３のタブ群３０３によって、保持台紙４１の保持面１０に保持されている。
【００６１】
また、図５（ｂ）に示している通り、ガイディングカテーテル１２の基端部２２０は、第１〜第３の特定タブ７９、８９、９９及び第１〜第３の特定タブ７９、８９、９９に設けられた補助タブ６６、７６、８６によって、保持台紙４１の保持面１０から離間した位置で保持（挟持）されている。また、コネクタ４は、特定タブと同じ機能を有するコネクタ用タブ４０によって、保持台紙４１の保持面１０から離間した位置で保持（挟持）されていることから、保持面１０から離間した位置に配置されている。
【００６２】
このように、第１〜第３特定タブ７９、８９、９９によって、ガイディングカテーテル１２の基端部２２０を保持台紙４１の保持面１０から離間した位置において、ガイディングカテーテル１２を挟持していることから、術者がガイディングカテーテル１２を保持台紙４１から取り出す際に、第１〜第３特定タブ７９、８９、９９によって保持面１０から離間している（保持面１０から浮いている）ガイディングカテーテル１２を把持することによって、保持台紙４１からガイディングカテーテル１２を容易に取り出すことができる、効果を奏する。
【００６３】
また、本実施形態では、３個の第１〜第３の特定タブ７９、８９、９９を設けているが、これに限定されることなく１個の特定タブであって良い。ただし、ガイディングカテーテル１２は、一般的にガイドワイヤよりも重量が重い医療機器である為、特定タブは、本実施形態のように複数個設けることがより好ましい。また、ガイディングカテーテル１２の離脱を防止する為、第１〜第３の特定タブ７９、８９、９９の上端部及び補助タブ５６、６６、７６の上端部に折り返し部を設けても良い。
【００６４】
また、特定タブは、ガイディングカテーテル１２の先端部２１０や中間部２２０や設けることもできるが、一般的に、術者は、ガイディングカテーテル１２の基端部２３０を把持して保持台紙４１からガイディングカテーテル１２を抜き取ることが多い為、本実施形態の様に、ガイディングカテーテルの基端部２２０側に設けることが好ましい。
【００６５】
また、本発明は、上述した実施形態に限定されるものではなく、本発明の技術思想内において、当業者による種々の変更が可能である。
【００６６】
例えば、本発明では保持台紙に保持されている医療機器の例として、ガイドワイヤとガイディングカテーテルとを挙げたが、これに限定されることなくその他の医療機器であっても良い。
【００６７】
また、第５実施形態の保持台紙４１を包装袋に入れて、保持台紙組立体を構成することもできる。
【００６８】
また、第１実施形態の特定タブの変形例として、補助タブの無い特定タブ３９を記載したが、これを第２〜第５実施形態の特定タブに用いることもできる。
【００６９】
また、一般に保持台紙は、包装袋内に挿入されて、保持台紙組立体を構成することが多い為、特定タブの上端や折り返し部の上端は、包装袋の透明フィルムに損傷を与えない様に、角の部分を丸め加工しておくことが好ましい。
【００７０】
また、図示をしていないが、保持台紙を包装袋から取り出す際に特定タブが保持面から離間させる動きを補助する目的として、特定タブが押し付けられている保持面上に、医療機器を保持していない別の特定タブを設けて、離間補助タブを設けても良い。離間補助タブを設けることによって、保持台紙を包装袋から取り出した際に、離間補助タブが特定タブを保持面から離間させるように特定タブを支える為、特定タブが保持面から医療機器を容易に離間させることが出来る。
【符号の説明】
【００７１】
１、１１、２１、３１、４１                    保持台紙
１０                                          保持面
２                                            ガイドワイヤ
１２                                          ガイディングカテーテル
３２、３３、３４、３５                        タブ（その他）
３０１、３０２、３０３                        タブ群（その他）
４０                                          コネクタ用タブ
５、１５、２５、４５                          折り返し部
９、１９、２９、３９、４９、５９、
６９、７９、８９、９９                        特定タブ
６、１６、２６、３６、４６、５６、
６６、７６、８６                              補助タブ（特定タブ）
７                                            包装袋
【図１】
0006359404.tif 000002
【図２】
0006359404.tif 000003
【図３】
0006359404.tif 000004
【図４】
0006359404.tif 000005
【図５】
0006359404.tif 000006